(57)【要約】【課題】ＤＶＤ−ＲドライブやＤＶＤ−ＲＷドライブ等において、最適記録パワーを設定する。【解決手段】ＤＶＤ−ＲドライブやＤＶＤ−ＲＷドライブにおいて、コントローラ３０はＯＰＣを実行して記録パワーを設定し、ＲＭＡに管理データＲＭＤを記録する。ＲＭＤのベリファイを行い、ＲＭＤがリードできた場合にはさらにＲＭＤのＰＩエラー数を検出する。ＰＩエラー数が許容値以下であればデータ領域に当該記録パワーでデータを記録し、ＰＩエラー数が許容値を超える場合にはＯＰＣを再度実行して記録パワーを再設定する。【選択図】        図１
2004206803.tif 000002
【特許請求の範囲】
【請求項１】
データ記録可能な光ディスク装置であって、
光ディスクのテスト領域にテストデータを記録し、該テストデータを再生して得られる再生信号品質に基づき記録パワーを設定する設定手段と、
前記記録パワーを用いて前記光ディスクの記録管理領域に管理データを記録する手段と、
記録された前記管理データを検証する手段と、
前記検証の結果が肯定的である場合に前記管理データのエラー数を検出する検出手段と、
前記エラー数と許容値を比較する比較手段と、
前記エラー数が前記許容値を超える場合に前記記録パワーを補正する補正手段と、
を有することを特徴とする光ディスク装置。
【請求項２】
請求項１記載の装置において、
前記補正手段は、前記設定手段での設定方法を変更して繰り返し実行させることで補正することを特徴とする光ディスク装置。
【請求項３】
請求項１記載の装置において、
前記補正手段は、前記記録パワーを所定量あるいは所定比率だけ増大または減少させることで補正することを特徴とする光ディスク装置。
【請求項４】
請求項２記載の装置において、
前記設定手段は、前記テストデータを所定幅で変化させた複数のレーザパワーで記録したときの前記再生信号品質に基づき前記記録パワーを設定するものであり、
前記補正手段は、前記所定幅を縮小して前記設定手段に繰り返し実行させることで補正することを特徴とする光ディスク装置。
【請求項５】
請求項２記載の装置において、
前記設定手段は、前記テストデータを複数のレーザパワーで記録したときの前記再生信号品質が目標値に最も近いレーザパワーを前記記録パワーに設定するものであり、
前記補正手段は、前記目標値を変更して前記設定手段に繰り返し実行させることで補正することを特徴とする光ディスク装置。
【請求項６】
請求項２記載の装置において、
前記設定手段は、前記テストデータを複数のレーザパワーで記録したときの前記再生信号品質が目標値に最も近いレーザパワーを前記記録パワーに設定するものであり、
前記補正手段は、前記記録パワー近傍の所定パワー範囲に限定して前記設定手段に繰り返し実行させることで補正することを特徴とする光ディスク装置。
【請求項７】
請求項２記載の装置において、
前記設定手段は、前記テストデータを所定の記録ストラテジで記録したときの前記再生信号品質に基づき前記記録パワーを設定するものであり、
前記補正手段は、前記記録ストラテジを変更して前記設定手段に繰り返し実行させることで補正することを特徴とする光ディスク装置。
【請求項８】
請求項１記載の装置において、
前記エラー検出手段は、前記管理データのＰＩエラー数を検出することを特徴とする光ディスク装置。
【請求項９】
請求項８記載の装置において、さらに、
前記光ディスクの所定領域に存在するエンボスデータを再生してそのＰＩエラー数を検出する手段と、
前記エンボスデータのＰＩエラー数に基づき前記許容値を設定する手段と、
を有することを特徴とする光ディスク装置。
【請求項１０】
請求項１記載の装置において、
前記光ディスクはＤＶＤ−ＲまたはＤＶＤ−ＲＷであり、
前記記録管理領域はＲＭＡであり、
前記管理データはＲＭＤである
ことを特徴とする光ディスク装置。
【請求項１１】
請求項１０記載の装置において、
前記エラー検出手段は、前記ＲＭＤの１ＥＣＣブロック内における前記ＰＩエラー数を検出することを特徴とする光ディスク装置。
【請求項１２】
光ディスク装置であって、
前記光ディスクのエンボスデータを再生しそのエラー数をカウントする手段と、
前記エンボスデータのエラー数に基づき許容値を設定する手段と、
前記光ディスクにレーザパワーを変化させてテストデータを記録し、該テストデータの再生信号品質に基づき記録パワーを設定する手段と、
前記光ディスクに前記記録パワーで管理データを記録する手段と、
前記管理データを再生しそのエラー数をカウントする手段と、
前記管理データのエラー数が前記許容値を超える場合には前記記録パワーの近傍においてレーザパワーを変化させてテストデータを再記録し、該テストデータの再生信号品質に基づき記録パワーを再設定し、前記管理データのエラー数が前記許容値以下の場合には前記記録パワーで前記光ディスクにデータを記録する手段と、
を有することを特徴とする光ディスク装置。
【発明の詳細な説明】
【０００１】
【発明の属する技術分野】
本発明は光ディスク装置、特にデータ記録可能な光ディスク装置における記録パワー最適化に関する。
【０００２】
【従来の技術】
従来より、ＣＤ−Ｒ／ＲＷドライブやＤＶＤ−Ｒ／ＲＷドライブ等、コンボドライブ等において、データを記録する際に光ディスクのテスト領域（ＰＣＡエリア：Power Calibration Area）にテストデータを記録し、該テストデータの再生信号品質に基づき記録パワーを最適化する技術が知られている。このような技術は一般にＯＰＣ（Optimum Power Control）と称され、ＯＰＣにより最適化された記録パワーにて光ディスクのデータ領域にデータを記録している。
【０００３】
図６には、一例としてＤＶＤ−ＲＷドライブにおけるデータ記録処理フローチャートが示されている。まず、ＤＶＤ−ＲＷがドライブに装着されると、ドライブ内のコントローラはＯＰＣを実行する（Ｓ１０１）。具体的には、レーザパワーを例えば０．５ｍＷ毎に変化させてテストデータをＰＣＡエリアに順次記録していき、該テストデータを再生して得られる再生信号品質をレーザパワー毎に評価することで実行される。再生信号品質としては、β値や変調度ｍ、γ値、ジッタ等が用いられる。再生信号品質の評価パラメータとして例えばβを用いた場合、再生信号品質のβと予め定められた目標βとを比較し、目標β値に最も近いレーザパワーを抽出する。ＯＰＣを実行した後、抽出したレーザパワーを記録パワーに設定する（Ｓ１０２）。
【０００４】
記録パワーを設定した後、次にＤＶＤ−ＲＷの記録管理領域であるＲＭＡに管理データとしてのＲＭＤを記録する（Ｓ１０３）。管理データＲＭＤを記録した後、ＲＭＤが確かに記録されているか否かを検証する（ベリファイ：Ｓ１０４）。ベリファイを行うのは、ＲＭＤを読み出せない場合には当該ＤＶＤ−ＲＷを起動できない、あるいは起動できたとしても管理データが存在しないためどこまで記録したのか不明となるので正確なデータ記録を行えなくなるからである。ベリファイの結果、ＲＭＤを読み出せない場合には再度ＲＭＤを書き込む、あるいはＯＰＣを再実行して記録パワーの再最適化を行い再びＲＭＤを書き込んでベリファイを行う。一方、ベリファイの結果が肯定的である場合、すなわちＲＭＤを読み出せる場合には、Ｓ１０２にて設定された記録パワーでデータ領域にデータを記録する（Ｓ１０５）。
【０００５】
図７には、ＤＶＤ−ＲＷにおけるデータフォーマットが示されている。ＤＶＤ−ＲＷには、ＰＣＡ（Power Calibration Area）領域、ＲＭＡ(Recording Management Area）領域、リードイン領域及びデータ領域が存在し、ＲＭＡ領域にはＲＭＡリードインとＲＭＤ（Recording Management Data）が記録される。ＲＭＡリードインは、ドライブ製造者ＩＤやシリアル番号、ディスクＩＤ等を含む。また、ＲＭＤは、ＯＰＣ関連情報やデータ領域情報、記録モード情報等を含む。ＲＭＤは、セット１〜セット２８までの２８個のセットで構成され、各セットは５個のブロックから構成される。各ブロックは連結損失領域及びフィールド０〜フィールド１４を含む。各ブロックの大きさは３２ＫＢであり、フィールド０〜フォールド１４にはＤＶＤ−ＲＷのモード（インクリメンタルモード、ディスクアットワンスモード、オーバライトモード）に応じて異なる情報が記録される。例えば、インクリメンタルモード（追記モードでありデータを順次追加記録できる。データの記録が完了したときにその情報をＲＭＡに記録する）においては、フィールド０に共通情報、フィールド１にＯＰＣ情報やＲＭＤセットのポインタ情報、フィールド２にユーザ指定データや消去操作情報が記録される。消去操作情報は、消去位置や消去回数を示す情報である。
【０００６】
従来においては、このように管理データであるＲＭＤをベリファイしＲＭＤを読み出すことができれば次にデータ領域に上位装置から供給されたデータを記録しているが、記録マージンが小さい場合、たとえＲＭＤを読み出すことができたとしても実際にデータ領域にデータを記録すると当該記録データを読み出すことができない場合があった。これは、ＲＭＤのベリファイ処理においては、単にＲＭＤを読み出すことができるか否かを判定しているだけでデータの記録品質を定量評価しているわけではなく、データ領域に記録されたデータの記録品質が担保されるわけではないからである。特に、市場には多種多様な光ディスクが流通していて記録膜の特性にバラツキがあり、記録パワーが必ずしも最適でないためにあるドライブで記録したデータを別のドライブで再生しようとしてもできない場合が少なくない。
【０００７】
そこで、従来より、ＯＰＣにより得られた記録パワーをより最適化して記録品質も担保する技術が提案されている。例えば、ＣＤ−ＲＷドライブにおいて、ＯＰＣにより得られた記録パワーでデータ領域にデータを記録し、当該データを再生してそのエラーを検出する。当該エラーが許容値を超える場合にはＯＰＣを再実行して記録パワーの最適化を行い、得られた記録パワーでデータ領域に記録したデータを上書き処理する。あるいは、テスト領域においてＯＰＣを実行する際に、テストデータの再生信号品質のみならずそのエラーも検出し、エラーが許容値以下となるレーザパワーを記録レーザパワーに設定する等である。
【０００８】
【特許文献１】
特開平１１−４５４４０５号公報
【特許文献２】
特開２００２−２６０２３０号公報
【０００９】
【発明が解決しようとする課題】
しかしながら、データ領域にデータを記録し、そのデータのエラーを検出してＯＰＣを再度実行する構成では、データ領域においてデータを試し書きすることになり、データ領域を消費してしまう問題がある。また、データ領域に試し書きしたデータを上書き（オーバライト）する必要があり、本来的にＣＤ−ＲＷディスク等に限定されてしまい、オーバライトできないディスクには適用できない問題もある。また、テスト領域（ＰＣＡ領域）においてテストデータを記録してそのエラーを検出する構成においてもエラーを検出するために余分のテストデータを記録する必要があり（少なくとも１ＥＣＣブロック＝１６セクタ分のテストデータが必要であり、複数のレーザパワー毎に少なくともこれだけのテストデータを記録する必要がある）、テスト領域を消費してしまう問題がある。さらに、ＯＰＣ自体はユーザにとってはデータの記録が行われない待ち時間であり、テストデータの記録時間を増大することは利便性の観点から好ましくない。
【００１０】
本発明の目的は、光ディスクのテスト領域やデータ領域を不必要に消費することなく、データ記録時の記録パワーを最適化することのできる光ディスク装置を提供することにある。
【００１１】
【課題を解決するための手段】
本発明は、データ記録可能な光ディスク装置であって、光ディスクのテスト領域にテストデータを記録し、該テストデータを再生して得られる再生信号品質に基づき記録パワーを設定する設定手段と、前記記録パワーを用いて前記光ディスクの記録管理領域に管理データを記録する手段と、記録された前記管理データを検証する手段と、前記検証の結果が肯定的である場合に前記管理データのエラー数を検出する検出手段と、前記エラー数と許容値を比較する比較手段と、前記エラー数が前記許容値を超える場合に前記記録パワーを補正する補正手段とを有する。管理データを検証し、その結果が肯定的、すなわち管理データを読み出せる場合であっても、その記録パワーでデータを記録するのではなく、管理データのエラーを定量評価する。そして、管理データのエラー数が許容値を超える場合には、当該記録パワーでデータを記録しても、高品質でデータを記録できない、例えば別のドライブで記録データを再生できないおそれがあるとして記録パワーを補正し再設定する。本発明は、データ記録時に必須の処理である管理データ記録処理を利用して記録品質を評価するものであり、記録パワーの再設定処理が効率化される。
【００１２】
本発明の１つの実施形態では、補正手段は設定手段での設定方法を変更して繰り返し実行させることで記録パワーを補正する。設定方法を変更するのは、最初のＯＰＣ実行時の処理アルゴリズムと同一の処理アルゴリズムでは、記録パワーの補正を効率的に行うことができず、ＰＣＡ領域を不要に消費してしまうおそれがあるからである。なお、管理データのエラー数の大小に応じて設定変更の態様を変えてもよい。
【００１３】
前記補正手段による設定方法の変更の態様は任意であるが、例えば記録パワーを所定量あるいは所定比率だけ増大または減少させることで補正することができる。また、レーザパワーの変化幅を縮小して設定手段に繰り返し実行させることで補正してもよい。あるいは、目標値を変更して設定手段に繰り返し実行させることで補正してもよい。レーザパワーや目標値を補正せず（あるいはこれらの補正とともに）記録ストラテジ自体を補正してもよい。設定手段での最初の設定により得られた記録パワーを基準とし、その近傍を再探索することで補正してもよい。
【００１４】
【発明の実施の形態】
以下、図面に基づき本発明の実施形態について、ＤＶＤ−Ｒドライブを例にとり説明する。
【００１５】
図１には、本実施形態に係る光ディスク装置の構成ブロック図が示されている。光ピックアップ（ＰＵ）１２は光ディスク（ＤＶＤ−Ｒ）１０に対向配置され、光ディスク１０の表面にレーザ光を照射するレーザダイオード（ＬＤ）及びフォトディテクタを含んで構成される。レーザダイオードは、レーザダイオード駆動回路（ＬＤＤ）３２により駆動され、データを再生する際には再生パワーのレーザ光を照射し、記録する際には記録パワーのレーザ光を照射する。光ピックアップ１２のフォトディテクタは、差動プッシュプル法を用いる公知の構成と同様にメインビーム用及び２個のサブビーム用にそれぞれ設けられており、反射光量に応じた検出信号をサーボ検出部１４及びＲＦ検出部２０に出力する。
【００１６】
サーボ検出部１４は、光ピックアップ１２からの信号に基づきトラッキングエラー信号ＴＥ及びフォーカスエラー信号ＦＥを生成してそれぞれトラッキング制御部１６及びフォーカス制御部１８に出力する。トラッキングエラー信号ＴＥは差動プッシュプル法により生成され、具体的にはメインビームのプッシュプル信号とサブビームのプッシュプル信号との差分により生成される。フォーカスエラー信号ＦＥは非点収差法により生成される。
【００１７】
トラッキング制御部１６は、トラッキングエラー信号ＴＥに基づき光ピックアップ１２を光ディスク１０のトラック幅方向に駆動してオントラック状態に維持する。また、フォーカス制御部１８はフォーカスエラー信号ＦＥに基づき光ピックアップ１２をフォーカス方向に駆動してオンフォーカス状態に維持する。
【００１８】
ＲＦ検出部２０は、光ピックアップ１２からの信号、具体的にはメインビームの反射光を受光するフォトディテクタからの和信号を増幅して再生ＲＦ信号を生成し、信号処理部２２及びデコーダ２６に出力する。信号処理部２２は、ＯＰＣ（Optimum Power control）実行時にテストデータの再生信号からβ値や変調度ｍを検出してコントローラ３０に出力する。
【００１９】
コントローラ３０は、レーザダイオード駆動回路（ＬＤＤ）３２やＲＦ検出部２０等を制御してＯＰＣを実行させ、信号処理部２２で算出されたβ値や変調度ｍ、あるいはデコーダ２６からのジッタに基づき最適記録パワーを決定してＬＤＤ３２を最適記録パワーに制御する。ＯＰＣ実行時のテストデータはコントローラ３０が供給し、例えば３Ｔ〜１４Ｔのランダムデータをテストデータとする。
【００２０】
また、コントローラ３０は、光ディスク１０のＲＭＡ（Recording ManagementArea）領域に記録されたＲＭＤ（Recording Management Data）をベリファイし、ベリファイの結果に応じてＯＰＣを再度実行するか否かを決定する。さらに、コントローラ３０は、ＲＭＤのベリファイが肯定的である場合、従来のように直ちに光ディスク１０のデータ領域にデータを記録するのではなく、ＲＭＤのエラー数を検出してそのエラー数を許容値と大小比較し、ＲＭＤのエラー数が許容値以下である場合に記録品質が維持されると判定して光ディスク１０のデータ領域にデータを記録する。記録すべきデータはパーソナルコンピュータ等の上位装置からコントローラ３０に送られ、図示しないエンコーダでエンコードした後にＬＤＤ３２に供給される。ＲＭＤのエラー数はデコーダ２６からのデータをコントローラ３０内のエラー訂正回路でカウントする。エラー訂正回路は、コントローラ３０とは別個にデコーダ２６の後段に設けてもよい。所定の許容値は、予めコントローラ３０のメモリに記憶しておくことができるが、光ディスク１０に応じて適応的に設定してもよい。許容値を適応的に設定する方法については後述する。
【００２１】
デコーダ２６は、イコライザや二値化器を備え、再生ＲＦ信号の所定周波数、具体的には３Ｔ信号の振幅をブーストして二値化し、二値化信号を復調してコントローラ３０に出力する。復調は、図示しないＰＬＬ回路で同期クロック信号を生成して信号を抽出することにより実行される。また、デコーダ２６は、二値化信号と同期クロックとの位相差を加算することでジッタを検出し、コントローラ３０に供給する。デコーダ２６から二値化信号と同期クロックを出力し、デコーダ２６とは別個のジッタ検出回路でジッタを検出してもよく、コントローラ３０でジッタを検出してもよい。コントローラ３０は、デコーダ２６からの復調データを上位装置に出力する。
【００２２】
図２には、本実施形態のデータ記録処理フローチャートが示されている。まず、装着された光ディスクの情報を取得する（Ｓ２０１）。光ディスクの情報は、光ディスクの種類やメーカ、あるいはＯＰＣ実行時の目標値等である。ＯＰＣ時の目標値は予めドライブ内のメモリにメーカ毎に記憶しておき、メーカデータを取得して当該メーカに対応する目標値をメモリから読み出してもよい。
【００２３】
ディスク情報を取得した後、次にＯＰＣを実行する（Ｓ２０２）。ＯＰＣにおいては、従来技術と同様にコントローラ３０はレーザパワーを複数段、例えば０．５ｍＷ毎に変化させて５．０ｍＷ〜１２ｍＷにわたって光ディスク１０のＰＣＡ領域にテストデータを記録し、該テストデータを再生してその再生信号品質をレーザパワー毎に評価する。再生信号品質は、β値や変調度ｍ、γ値、ジッタなどを用いることができるが、本実施形態においては上述したようにジッタを用いてテストデータの再生信号品質を評価する。
【００２４】
以下、ＯＰＣ処理について説明する。
【００２５】
図３には、Ｓ２０２におけるＯＰＣ処理フローチャートが示されている。レーザパワーを０．５ｍＷ毎に変化させて光ディスクのＰＣＡ（Power Calibration Area）領域にテストデータを記録する（Ｓ２０２１）。テストデータは、３Ｔ〜１４Ｔのランダムデータである。テストデータを記録した後、該テストデータを再生して各レーザパワー毎にジッタを検出する（Ｓ２０２２）。ジッタは、復調されたテストデータと同期クロック信号との位相差の総和である。各レーザパワー毎のジッタを検出した後、得られた複数のジッタの中での最小値Ｊｍｉｎを抽出し（Ｓ２０２３）、その最小値Ｊｍｉｎに所定の係数Ｋ（Ｋ＞１）を乗じたジッタＪ＝Ｋ・Ｊｍｉｎが得られるレーザパワーＰ１、Ｐ２を抽出する（Ｓ２０２４）。そして、ジッタＪが得られる２つのレーザパワーＰ１、Ｐ２の中間のパワーＰｏ＝（Ｐ１＋Ｐ２）／２を算出する（Ｓ２０２５）。
【００２６】
図４には、以上述べたジッタを用いたＯＰＣ処理が模式的に示されている。図において、横軸はレーザパワーＰ（ｍＷ）であり、縦軸はジッタである。一般にジッタはレーザパワーが不足あるいは過剰のときに増大するため下に凸のカーブを描く。但し、ジッタのカーブは必ずしも急峻ではなく、ジッタが最小となるレーザパワーを一義的に抽出するのは容易ではない。そこで、複数段の離散的なレーザパワーにて得られた範囲内におけるジッタの最小値Ｊｍｉｎを抽出し、これに係数Ｋを乗じたＪ＝Ｋ・Ｊｍｉｎが得られるレーザパワーＰ１、Ｐ２を抽出し、ジッタのカーブはレーザパワーに対してほぼ対称であるとの前提の下、その中間値Ｐｏを算出することで、限られたレーザパワー段数において比較的精度良くジッタ最小となるレーザパワーＰｏを抽出できる。
【００２７】
再び図２に戻り、以上のようにしてＯＰＣを実行してレーザパワーＰｏを抽出した後、コントローラ３０はレーザパワーＰｏを記録パワーＰｏに設定する（Ｓ２０３）。記録パワーを設定した後、次にコントローラ３０はＤＶＤ−ＲのＲＭＡ領域に管理データ、すなわちＲＭＤを１ブロック記録する（Ｓ２０４）。そして、記録した１ＲＭＤブロックのベリファイを行う（Ｓ２０５）。ＲＭＤが読み出された場合、検証結果はＯＫであるとして次の処理に移行する（Ｓ２０６）。一方、ＲＭＤを読み出すことができなかった場合、ＮＧと判定して再びＯＰＣを実行して記録パワーを再設定する（Ｓ２０２）。
【００２８】
従来においてはＲＭＤのベリファイ結果がＯＫである場合、次に光ディスク１０のデータ領域にデータを記録する処理に移行するが、本実施形態においてはコントローラ３０はさらにＲＭＤのエラー、具体的にはＰＩエラーを検出する処理に移行する（Ｓ２０７）。ＰＩエラーとは、１ＥＣＣブロックに与えられる内部コードパリティのエラーである。１ＥＣＣブロックには１７２バイト１９２列の情報フィールドが存在し、１９２列の情報フィールド＋１６列の外部コードパリティの合計２０８列のそれぞれに対して１０バイトの内部コードパリティＰＩが与えられている。Ｓ２０７の処理では、２０８列のそれぞれに与えられた内部コードパリティ（ＰＩ）をチェックしてそのエラー数をカウントする。エラー数の最大値は２０８である。ＲＭＤのＰＩエラー数を検出した後、エラー数が許容値以下であるか否かを判定する（Ｓ２０８）。許容値は予め３５等と固定値を設定しておくことができる。また、上述したように、許容値を光ディスク１０に応じて動的に変化させることもできる。具体的には、光ディスク１０のコントロールデータゾーンに形成されたエンボスデータを再生し、そのエラー数に基づき許容値を設定する。エンボスデータの再生は記録条件に依存しない最良条件での再生であり、光ディスク１０とドライブとの組み合わせにおける再生性能を精度良く評価できる。コントロールデータゾーンに形成されたエンボスデータのＰＩエラー数を検出し、１ＥＣＣブロックあたりのＰＩエラー数に所定の係数Ｃ（Ｃ＞１）を乗じた値を許容値とする。エンボスデータのエラー数が高い場合、元々光ディスク１０とドライブの組み合わせにおける再生性能は低いと考えられる。このような場合、許容値も高めに設定することで、記録品質を適切に評価できる。許容値の動的設定は、例えばＲＭＡにＲＭＤを記録する前に行うことができる。
【００２９】
ＲＭＤのＰＩエラー数を許容値と比較した結果、許容値以下であればデータの記録も問題なく実行できると判断し、Ｓ２０３で設定された記録パワーＰｏで光ディスク１０のデータ領域（リードイン部、リードアウト部を含めて）にデータを記録する（Ｓ２０９）。一方、Ｓ２０８にてＰＩエラー数が許容値を超えると判定した場合、Ｓ２０３で設定された記録パワーは必ずしも最適な記録パワーではない、すなわちＲＭＤの読み出し自体は可能なレベルであるものの、十分に低いエラーレートでデータを記録することはできない、あるいは記録マージンが小さく、光ディスク１０のデータ領域全域にわたってデータを高品質に記録することが困難であると判定し、コントローラ３０はＯＰＣストラテジを変更した上で（Ｓ２１０）、ＯＰＣを再実行する。ＯＰＣを再実行して得られた記録パワーについて再びＲＭＤの記録、ベリファイ処理及びＲＭＤのＰＩエラー数評価処理を行い、ＰＩエラー数が許容値以下となったときにその時の記録パワーでデータを記録する（Ｓ２０９）。
【００３０】
Ｓ２１０におけるＯＰＣストラテジの変更処理としては、いくつかの方法が可能である。
【００３１】
＜レーザパワーの変化幅縮小処理＞
第１回目のＯＰＣにおいてレーザパワーを例えば０．５ｍＷ毎に変化させた場合、２回目のＯＰＣでは１回目の変化幅よりも小さい変化幅、例えば０．２ｍＷでレーザパワーを変化させてテストデータを記録する。第１回目と同様に例えば５．０ｍＷから１２．０ｍＷまでの間で０．２ｍＷ毎に変化させてテストデータを記録してもよいが、第１回目のＯＰＣにより得られた記録パワーＰｏを中心としてその前後に０．２ｍＷだけ変化させてＯＰＣを実行することが好適であり、これによりＰＣＡ領域の消費を抑えることができ、ＯＰＣ時間も短縮される。
【００３２】
図５には、この処理が模式的に示されている。第１回目のＯＰＣにより設定された記録パワーＰｏを中心とし、−０．２ｍＷ、−０．４ｍＷだけ変化させたレーザパワー、及び＋０．２ｍＷ、＋０．４ｍＷだけ変化させたレーザパワーでテストデータを記録する。合計５段階のレーザパワー（Ｐｏを含む）で記録したテストデータの再生信号品質をジッタにより評価し、Ｓ２０２３〜Ｓ２０２５と同様の処理により記録パワーを再設定する。最適な記録パワーは、第１回目のＯＰＣにより得られた記録パワーＰｏ近傍に存在すると考えられるから、記録パワーＰｏ近傍に限定してより細かい変化幅で最適記録パワーを探索することにより、短時間に最適記録パワーを再設定できる。
【００３３】
＜目標値の変更処理＞
第２回目のＯＰＣにおいては、第１回目のＯＰＣで用いた再生信号品質の目標値を変更する処理である。例えば、β値を用いてテストデータの再生信号品質を評価する場合、目標β値を第１回目の目標β値に対し所定量あるいは所定比率だけ増減させる。目標値を増大または減少させるかの判断は、例えば熱波形ひずみを起こしやすいディスクであれば目標値を小さくし、記録しにくいディスクであれば目標値を大きくすればよい。β値は、β値＝（｜Ａ１｜−｜Ａ２｜）／（｜Ａ１｜＋｜Ａ２｜）で定義される。Ａ１はＡＣ結合されたＲＦ信号のピーク値、Ａ２はボトム値である。一般に、レーザパワーが増大するほどβ値は増大する。Ｓ２０８の判定処理においてＰＩエラー数が許容値を超えると判定された場合であって記録しにくいディスクである場合（記録しにくいか否かは例えばディスクのメーカで判定する）、Ｓ２０３にて設定された記録パワーＰｏが最適記録パワーよりも小さいことが考えられるため、目標β値を増大補正することによりＳ２０３で設定された記録パワーよりも大きな記録パワーを再設定する。２回目のＯＰＣとしては、上述した例と同様に記録パワーＰｏ近傍の複数のレーザパワーを対象として新たな目標値が得られるレーザパワーを再設定するのが好適である。目標値の変更は、ジッタに基づいてＯＰＣを行う場合には関係しないが、β値や変調度ｍをＯＰＣの再生信号の評価パラメータとする場合は有効である。
【００３４】
＜レーザパワーを所定量あるいは所定比率だけ増減させる処理＞
ＯＰＣを再度実行するのではなく、Ｓ２０８にてＰＩエラー数が許容値を超えると判定された場合、Ｓ２０３にて設定された記録パワーＰｏに対し、所定量（例えば０．３ｍＷ）あるいは所定比率（例えば１０％）だけ増大または減少させた記録パワーを最適記録パワーとする。Ｓ２１０にて記録パワーを再設定した後、Ｓ２０４の処理に移行してＲＭＡに管理データＲＭＤを記録し、管理データＲＭＤのベリファイを行った後ＲＭＤのＰＩエラー数を検出して再び許容値と比較する。ＯＰＣをジッタに基づいて評価して最適記録パワーを決定した場合には、ＲＭＤを再生し、β値を測定してその大小を判断し、レーザパワーを増大させるか減少させるかを決定してもよい。エラー数の変化をみてレーザパワーの増減を繰り返してもよい。
【００３５】
なお、ＤＶＤ−ＲＷディスクの場合にはレーザパワーを増大させることで多くの場合ＰＩエラー数を減少させることができる。一方、ＤＶＤ−Ｒディスクの場合には、レーザパワーが大きすぎて熱波形ひずみを生じる結果、ＰＩエラー数が増大することがある。したがって、ＤＶＤ−Ｒディスクの場合には、ＰＩエラー数が許容値を超えた場合には管理データＲＭＤを再生してそのβ値を検出し、β値の大小に応じてレーザパワーを増大させるか減少させるかを決定すればよい。
【００３６】
この他にも光ディスクの回転速度を低下させてＯＰＣを再実行してもよく、β値ではなく目標変調度ｍや目標γ値を調整することでＯＰＣを再実行してもよい。さらに、記録ストラテジ（記録パルスの発光波形規則）を変更させてＯＰＣを再実行してもよい。記録ストラテジは、予めドライブのメモリ内に記憶してある複数パターンのストラテジ情報から設定できる。第１回目のＯＰＣ時には第１のパターンの記録ストラテジを用い、第２回目のＯＰＣ時には第１のパターンの記録ストラテジに対してパルス幅が増大あるいは減少した第２のパターンの記録ストラテジを用いる等である。マルチパルスでデータを記録する場合、先頭パルスのパルス幅やパルスレベル、後続パルスのパルス幅やパルス間隔を変更することで記録ストラテジを変更できる。
【００３７】
このように、本実施形態では、ＲＭＤのベリファイが肯定的であった場合でも、さらにＲＭＤのＰＩエラー数をカウントし、エラー数が許容値以下となった場合のみＯＰＣで設定した記録パワーでデータを記録するので、光ディスク１０にデータを高品質に記録することができ、光ディスク１０を他のドライブで再生する場合にもデータを確実に読み出すことができる。また、本実施形態では、データ記録時に必須の処理であるＲＭＤ記録処理を利用し、記録品質を評価するために新たにテストデータを記録しそのエラー数をカウントする処理を行う必要がなくなる。なお、エラー数をカウントするためには、少なくとも１ＥＣＣブロック分だけのデータが記録される必要があるが、ＤＶＤ−ＲドライブにおいてはＲＭＤはブロック単位で記録されるため、この条件を満たしている。
【００３８】
本実施形態においては、光ディスク装置としてＤＶＤ−Ｒドライブを例に取り説明したが、ＤＶＤ−ＲＷドライブでも同様に適用することができる。ＤＶＤ−Ｒディスクの場合、既述したように管理データのＲＭＤはＲＭＡに１ブロックずつ記録されるが、ＤＶＤ−ＲＷディスクにおいてはＲＭＤはまず５ブロックまとめてＲＭＡに記録された後１ブロックずつ記録される。最初に５ブロックまとめてＲＭＤを記録するのは、ＤＶＤ−ＲＷドライブにおいてはデータの消去情報を初めの５ブロックに記録するためである。初めの５ブロック以降はＤＶＤ−Ｒディスクと同様に１ブロックずつの記録となるため、この１ブロックの部分のＰＩエラー数を検出して許容値と比較すればよい。もちろん、１ＥＣＣブロックではなく、例えば５ブロックあるいは８ブロックのＰＩエラー数を検出して許容値と比較することも可能である。８ブロックのＰＩエラー数を検出して評価する場合、許容値は１ブロックの許容値を８倍すればよい。迅速な処理の観点からは、１ブロックのＰＩエラー数を許容値と比較するのが好適である。
【００３９】
また、ＣＤ−ＲドライブあるいはＣＤ−ＲＷドライブにおいても適用することが可能である。ＤＶＤ−ＲドライブやＤＶＤ−ＲＷドライブにおいては、ＲＭＡに管理データであるＲＭＤを記録し、その後、データ領域にデータを記録する処理であるため、ＲＭＤのＰＩエラー数を検出することでエラー評価用のテストデータを別途テスト領域あるいはデータ領域に試し書きする処理を無くすことができるが、ＣＤ−ＲディスクあるいはＣＤ−ＲＷディスクにおいてはＲＭＡ及びＲＭＤが存在しないためこのような処理を直接用いることができない。一方、ＣＤ−ＲディスクあるいはＣＤ−ＲＷディスクにおいては、ＰＣＡ領域に隣接してカウントエリアが存在し、そのカウントエリアにおいてＰＣＡ領域をどこまで使用したかテストデータの記録回数を管理している。従って、このカウントエリアに記録された管理データを用いて同様の処理を行えばよい。具体的には、カウントエリアに記録された管理データのＰＩエラー数を検出し、許容値と大小比較して許容値を超える場合にはＯＰＣストラテジを変更して再度ＯＰＣを実行すればよい。この場合にも、本来必要な処理であるカウントエリアへの書き込みデータを利用してエラー数をカウントし、エラー評価できるため、不要な処理を省きつつ記録品質を担保できる。その他、ＤＶＤ＋Ｒ、ＤＶＤ＋ＲＷにおいても、ＲＭＡに相当するＴＯＣエリアを用いて同様の処理を行うことができる。ちなみに、ＤＶＤ＋Ｒ／ＲＷのＴＯＣエリアは、１回の記録で１６セクタ＝１ＥＣＣブロック記録する。
【００４０】
また、本実施形態では、ＲＭＤのＰＩエラー数が許容値を超える場合に最初の処理アルゴリズムと異なるアルゴリズムでＯＰＣを再実行しているが、ＲＭＤのエラー数の大小に応じて２回目のＯＰＣのアルゴリズムを変化させることもできる。例えば、許容値をＴＨ１及びＴＨ２（ＴＨ１＞ＴＨ２）の２種類用意し、ＲＭＤのＰＩエラー数がＴＨ１を越える程度に顕著である場合には第１回目のＯＰＣと異なるアルゴリズムでＯＰＣを再実行し、ＲＭＤのＰＩエラー数がＴＨ１以下であってＴＨ２を越える場合には最初のＯＰＣと同一のアルゴリズムでＯＰＣを再実行する等である。ＴＨ１を越える場合に記録パワーを一律に所定量だけ増大させ、ＴＨ２を越える場合に記録パワーＰｏを中心として前後に０．２ｍＷずつ変化させてＯＰＣを再実行する等の処理も可能であり、要は、ＲＭＤのＰＩエラー数の大小に応じＯＰＣの処理アルゴリズムを適応的に変化させればよい。
【００４１】
さらに、本実施形態において、ＲＭＡ領域にＲＭＤを記録する場合、オーバライトすることでオーバライト特性を考慮した記録パワーの再設定が可能になる。すなわち、ＲＭＡ領域にＲＭＤを記録する場合に、既に記録されているＲＭＤを上書きするように新たにＲＭＤを書き込み、当該ＲＭＤのベリファイを行うとともにそのＰＩエラー数をカウントする。この場合のＰＩエラー数はオーバライトのエラー数であり、許容値以下となるように記録パワーＰｏを再設定することでデータ領域におけるオーバライト特性をも考慮した最適パワーが得られる。
【００４２】
【発明の効果】
以上説明したように、本発明によればデータ記録可能な光ディスク装置において、テスト領域やデータ領域を徒に消費することなく最適記録パワーを設定できる。
【図面の簡単な説明】
【図１】実施形態の構成ブロック図である。
【図２】実施形態の処理フローチャートである。
【図３】図２におけるＯＰＣ実行処理の詳細フローチャートである。
【図４】ジッタを用いたＯＰＣ実行処理の模式的説明図である。
【図５】ＯＰＣ再実行時の模式的説明図である。
【図６】従来装置の処理フローチャートである。
【図７】ＤＶＤ−ＲＷにおけるＲＭＡのフォーマット説明図である。
【符号の説明】
１０  光ディスク、１２  ピックアップ（ＰＵ）、１４  サーボ検出部、１６トラッキング制御部、１８  フォーカス制御部、２０  ＲＦ検出部、２２  信号処理部、２６  デコーダ、３０  コントローラ。
【図１】
2004206803.tif 000003
【図２】
2004206803.tif 000004
【図３】
2004206803.tif 000005
【図４】
2004206803.tif 000006
【図５】
2004206803.tif 000007
【図６】
2004206803.tif 000008
【図７】
2004206803.tif 000009